【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
情報処理装置であり、
コンテンツの利用制御単位として設定されるコンテンツ管理ユニットに対応するユニット鍵を適用した暗号化処理により、コンテンツ管理ユニット対応の暗号化データを生成する暗号処理部と、
前記暗号処理部において生成した暗号化データに対応する管理情報として、前記ユニット鍵を格納したユニット鍵ファイル、および前記コンテンツ管理ユニットに対応する利用制御情報ファイルの生成または更新処理を実行する管理情報制御部と、
前記暗号化データ、ユニット鍵ファイル、および利用制御情報ファイルを予め設定された記録データフォーマットに従って情報記録媒体に記録する記録部と、
を有することを特徴とする情報処理装置。
【請求項２】
前記情報記録媒体に対する記録データは、プレイリスト、およびＡＶストリームを含むクリップを有する階層構成データによって構成される動画コンテンツを含み、
前記管理情報制御部は、
各クリップに対応するコンテンツ管理ユニット識別情報と、該コンテンツ管理ユニット識別情報各々に対応するユニット鍵情報を含むユニット鍵ファイルの生成または更新処理を実行する構成であることを特徴とする請求項１に記載の情報処理装置。
【請求項３】
前記情報記録媒体に対する記録データは、プレイリスト、およびＡＶストリームを含むクリップを有する階層構成データによって構成される動画コンテンツを含み、
前記管理情報制御部は、
各プレイリストに対応するコンテンツ管理ユニット識別情報と、該コンテンツ管理ユニット識別情報各々に対応するユニット鍵情報を含むユニット鍵ファイルの生成または更新処理を実行する構成であることを特徴とする請求項１に記載の情報処理装置。
【請求項４】
前記情報記録媒体に対する記録データは、プレイリスト、およびＡＶストリームを含むクリップを有する階層構成データによって構成される動画コンテンツを含み、
前記管理情報制御部は、
各クリップ識別情報各々に対応するユニット鍵情報を含むユニット鍵ファイルの生成または更新処理を実行する構成であることを特徴とする請求項１に記載の情報処理装置。
【請求項５】
前記情報記録媒体に対する記録データは、プレイリスト、およびＡＶストリームを含むクリップを有する階層構成データによって構成される動画コンテンツを含み、
前記管理情報制御部は、
各プレイリスト識別情報各々に対応するユニット鍵情報を含むユニット鍵ファイルの生成または更新処理を実行する構成であることを特徴とする請求項１に記載の情報処理装置。
【請求項６】
前記情報記録媒体に対する記録データは、プレイリスト、およびＡＶストリームを含むクリップを有する階層構成データによって構成される動画コンテンツを含み、
前記管理情報制御部は、
前記利用制御情報ファイルを、プレイリストまたはクリップまたは、コンテンツに対応するタイトルの少なくともいずれかの識別子毎に異なる制御情報を記録した利用制御情報の生成または更新処理を実行する構成であることを特徴とする請求項１に記載の情報処理装置。
【請求項７】
前記情報記録媒体に対する記録データは、プレイリスト、およびＡＶストリームを含むクリップを有する階層構成データによって構成される動画コンテンツを含み、
前記管理情報制御部は、
前記利用制御情報ファイルを、クリップ中の制御情報変化点毎に異なる制御情報を記録した利用制御情報の生成または更新処理を実行する構成であることを特徴とする請求項１に記載の情報処理装置。
【請求項８】
前記情報記録媒体に対する記録データは、プレイリスト、およびＡＶストリームを含むクリップを有する階層構成データによって構成される動画コンテンツを含み、
前記情報処理装置は、さらに、
前記プレイリストの結合、分割、削除のいずれかの処理を実行するデータ編集部を有し、
前記管理情報制御部は、
前記データ編集部の処理に応じて、前記ユニット鍵を格納したユニット鍵ファイル、または、前記コンテンツ管理ユニットに対応する利用制御情報ファイルの更新を実行する構成であることを特徴とする請求項１に記載の情報処理装置。
【請求項９】
前記ユニット鍵ファイルは、
前記情報記録媒体の記録データのフォーマット情報としてのアプリケーションタイプ（ａｐｐｌｉｃａｔｉｏｎ  ｔｙｐｅ）情報を含み、
前記アプリケーションタイプ（ａｐｐｌｉｃａｔｉｏｎ  ｔｙｐｅ）情報は、前記情報記録媒体の記録データのフォーマットが、
（ａ）コンテンツの編集規定を含むか、またはプログラムファイルを含まないデータ記録用のフォーマットであるか、
（ｂ）コンテンツの編集規定を含まないか、またはプログラムファイルを含む再生用のフォーマットであるか、
上記（ａ），（ｂ）のいずれのフォーマットであるかを示す情報であることを特徴とする請求項１に記載の情報処理装置。
【請求項１０】
前記情報記録媒体に対する記録データは、プレイリスト、およびＡＶストリームを含むクリップを有する階層構成データによって構成されるコンテンツを含み、
前記管理情報制御部は、
前記情報記録媒体に、前記記録用のフォーマットでデータ記録を行なう場合には、前記クリップ単位でコンテンツ管理ユニットを設定し、
前記情報記録媒体に、前記再生用のフォーマットでデータ記録を行なう場合には、論理的な単位であるタイトル単位でコンテンツ管理ユニットを設定することを特徴とする請求項９に記載の情報処理装置。
【請求項１１】
情報記録媒体に記録されたコンテンツの再生処理を実行する情報処理装置であり、
コンテンツの利用制御単位として設定されるコンテンツ管理ユニットに対応するユニット鍵をユニット鍵ファイルから取得し、取得したユニット鍵を適用して、情報記録媒体に記録された暗号化コンテンツの復号処理を実行する暗号処理部と、
前記暗号処理部において復号を行なったコンテンツの属するコンテンツ管理ユニットに対応する利用制御情報を取得し、取得した利用制御情報に基づくコンテンツ利用を行なうコンテンツ利用制御部と、
を有することを特徴とする情報処理装置。
【請求項１２】
前記情報記録媒体に記録されたコンテンツは、プレイリスト、およびＡＶストリームを含むクリップを有する階層構成データによって構成される動画コンテンツであり、
前記コンテンツ利用制御部は、
プレイリストまたはクリップまたは、コンテンツに対応するタイトルの少なくともいずれかの識別子毎に異なる制御情報を記録した利用制御情報に基づいて、利用プレイリストまたはクリップまたは、タイトルに応じて異なる利用制御態様でのコンテンツ利用を実行する構成であることを特徴とする請求項１１に記載の情報処理装置。
【請求項１３】
前記情報記録媒体に記録されたコンテンツは、プレイリスト、およびＡＶストリームを含むクリップを有する階層構成データによって構成される動画コンテンツであり、
前記コンテンツ利用制御部は、
クリップ中の制御情報変化点毎に異なる制御情報を記録した利用制御情報に基づいて、前記制御情報変化点の前後において、異なる利用制御態様でのコンテンツ利用を実行する構成であることを特徴とする請求項１１に記載の情報処理装置。
【請求項１４】
情報記録媒体に対するコンテンツ記録処理を実行する情報処理方法であり、
コンテンツの利用制御単位として設定されるコンテンツ管理ユニットに対応するユニット鍵を適用した暗号化処理により、コンテンツ管理ユニット対応の暗号化データを生成する暗号処理ステップと、
前記暗号処理ステップにおいて生成した暗号化データに対応する管理情報として、前記ユニット鍵を格納したユニット鍵ファイル、および前記コンテンツ管理ユニットに対応する利用制御情報ファイルの生成または更新処理を実行する管理情報制御ステップと、
前記暗号化データ、ユニット鍵ファイル、および利用制御情報ファイルを予め設定された記録データフォーマットに従って情報記録媒体に記録する記録ステップと、
を有することを特徴とする情報処理方法。
【請求項１５】
情報記録媒体に記録されたコンテンツの再生処理を実行する情報処理方法であり、
コンテンツの利用制御単位として設定されるコンテンツ管理ユニットに対応するユニット鍵をユニット鍵ファイルから取得し、取得したユニット鍵を適用して、情報記録媒体に記録された暗号化コンテンツの復号処理を実行する暗号処理ステップと、
前記暗号処理ステップにおいて復号を行なったコンテンツの属するコンテンツ管理ユニットに対応する利用制御情報を取得し、取得した利用制御情報に基づくコンテンツ利用を行なうコンテンツ利用制御ステップと、
を有することを特徴とする情報処理方法。
【請求項１６】
情報記録媒体に対するコンテンツ記録処理をコンピュータ上において実行させるコンピュータ・プログラムであり、
コンテンツの利用制御単位として設定されるコンテンツ管理ユニットに対応するユニット鍵を適用した暗号化処理により、コンテンツ管理ユニット対応の暗号化データを生成する暗号処理ステップと、
前記暗号処理ステップにおいて生成した暗号化データに対応する管理情報として、前記ユニット鍵を格納したユニット鍵ファイル、および前記コンテンツ管理ユニットに対応する利用制御情報ファイルの生成または更新処理を実行する管理情報制御ステップと、
前記暗号化データ、ユニット鍵ファイル、および利用制御情報ファイルを予め設定された記録データフォーマットに従って情報記録媒体に記録する記録ステップと、
を有することを特徴とするコンピュータ・プログラム。
【請求項１７】
情報記録媒体に記録されたコンテンツの再生処理をコンピュータ上において実行させるコンピュータ・プログラムであり、
コンテンツの利用制御単位として設定されるコンテンツ管理ユニットに対応するユニット鍵をユニット鍵ファイルから取得し、取得したユニット鍵を適用して、情報記録媒体に記録された暗号化コンテンツの復号処理を実行する暗号処理ステップと、
前記暗号処理ステップにおいて復号を行なったコンテンツの属するコンテンツ管理ユニットに対応する利用制御情報を取得し、取得した利用制御情報に基づくコンテンツ利用を行なうコンテンツ利用制御ステップと、
を有することを特徴とするコンピュータ・プログラム。
【請求項１８】
暗号化コンテンツを記録した情報記録媒体であり、
前記暗号化コンテンツは、プレイリスト、およびＡＶストリームを含むクリップを有する階層構成データによって管理されるコンテンツであって、コンテンツ管理ユニットを単位として、ユニット鍵によって暗号化された暗号化コンテンツであり、
前記情報記録媒体は、さらに、前記コンテンツ管理ユニットに対応して設定されるユニット鍵を保持したユニット鍵ファイルを記録情報として含み、
前記ユニット鍵ファイルは、
前記情報記録媒体に対する記録データのフォーマット情報としてのアプリケーションタイプ（ａｐｐｌｉｃａｔｉｏｎ  ｔｙｐｅ）情報を含み、
前記アプリケーションタイプ（ａｐｐｌｉｃａｔｉｏｎ  ｔｙｐｅ）情報は、前記情報記録媒体の記録データのフォーマットが、
（ａ）コンテンツの編集規定を含むか、またはプログラムファイルを含まないデータ記録用のフォーマットであるか、
（ｂ）コンテンツの編集規定を含まないか、またはプログラムファイルを含む再生用のフォーマットであるか、
上記（ａ），（ｂ）のいずれのフォーマットであるかを示す情報であることを特徴とする情報記録媒体。
【請求項１９】
前記コンテンツ管理ユニットの管理単位は、
前記アプリケーションタイプ（ａｐｐｌｉｃａｔｉｏｎ  ｔｙｐｅ）情報に応じて異なる設定であることを特徴とする請求項１８に記載の情報記録媒体。
【請求項２０】
プレイリスト、およびＡＶストリームを含むクリップを有する階層構成データによって管理され、コンテンツ管理ユニットを単位に対応して設定されるユニット鍵によって暗号化された暗号化コンテンツの管理用データのデータ構造であり、
前記管理用データは、
前記コンテンツ管理ユニットに対応して設定されるユニット鍵を保持したユニット鍵ファイルを含み、
前記ユニット鍵ファイルは、
（ａ）前記暗号化コンテンツが再生用データのフォーマットに従った管理コンテンツであるか、
（ｂ）前記暗号化コンテンツが記録用データのフォーマットに従った管理コンテンツであるか、
上記（ａ），（ｂ）のいずれのフォーマットに従った管理コンテンツであるかを示すアプリケーションタイプ（ａｐｐｌｉｃａｔｉｏｎ  ｔｙｐｅ）情報を含み、
情報処理装置におけるデータ処理部が前記アプリケーションタイプ（ａｐｐｌｉｃａｔｉｏｎ  ｔｙｐｅ）情報に基づいて暗号化コンテンツのフォーマット情報を取得可能としたことを特徴とする暗号化コンテンツの管理用データのデータ構造。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】